(57)【要約】【目的】組立てや分解、棚位置の変更が自由にでき、組立て後はしっかりと形状を保てる組立て式のプラスチック製の展示台を提供することを目的とする。【構成】柱部材の棚用スリットと棚部材の柱用スリットとを交差状に係合させて展示台の前後方向への変形を防ぎ、棚部材の固定部材用スリットに固定部材の棚サイド用スリットを交差状に係合させて展示台の左右方向への変形を防いで展示台が前後左右に変形しないように成したことで上述の課題を解決した。【選択図】        図１
2004248947.tif 000002
【特許請求の範囲】
【請求項１】
柱部材に後端または前端から前後方向へ棚用スリットを上下に適宜間隔をあけて複数設け、相対する棚部材には前端または後端から前後方向へ柱用スリットを設け、さらに、この棚部材の側端には固定部材用スリットを側端から他方の側端部側へ向って設け、かつ、棚部材の上面には展示物を載置可能なステージ部を設け、固定部材には側端部から他方の側端部側へ向って棚サイド用スリットを設け、柱部材の棚用スリットと棚部材の柱用スリットとを噛み合わせて柱部材に対して棚部材を交差させて係合させて展示台の前後方向への変形を防ぎ、かつ、棚部材の側端の固定部材用スリットに固定部材の棚サイド用スリットを噛み合わせて交差状に嵌合させて展示台の左右方向への変形を防ぐことにより、前後左右に変形しないように成したことを特徴とする組立て式のプラスチック製展示台。
【発明の詳細な説明】
【０００１】
【産業上の利用分野】
この発明は、ミニチュア模型などの収集家などが人形や模型などを展示保管するときに用いる組立て式のプラスチック製展示台に関するものである。
【０００２】
【従来の技術】
従来から、切り欠きを入れた板を井桁状に組み合わせる木組みの機構は、木工の組み接ぎの技法として知られている。この井桁状の木組み機構は、切り込みとその切り込みに差し込まれる板の厚さが一致していれば組立後は差し込まれる板が切り込みにしっかりと挟持されるので、ぐらつかずに形状を安定して保つことが出来る。ところが、プラスチック成形品は成形ロットによってわずかな収縮のばらつきがあり、大きめ（即ち厚め）にできた部品と小さめ（即ち切り欠きが狭め）の部品を組み合わせると部品が切り欠きに嵌まらず、組立てられない場合がある。そこで、この木組み機構をプラスチックで成形するには、切り欠きを差し込まれる部品の厚さよりわずかに広く設計するが、大きめに成形された切り欠きの部品と薄めの厚さに成形された部品が組合されると、隙間ができて切り込みが差し込まれた部品を挟持していないので切り込みに対して差し込まれた部品がぐらつき、第６図に示すとおり形状が安定しない。
【０００３】
ところが、自動車などのミニチュア模型や腕時計などを収集して楽しんでいる個人の収集家は、ミニチュア模型などの収集物を並べて見て楽しむときに、模様替えのため展示方法を変えることがしばしばあり、組立てや、分解、再組立て、棚位置の変更が自由にでき、かつ、組立てた状態では展示物が落下しないようにぐらつくことなく立体的に展示でき、しっかりと形状を保てる展示台を希望している。
【０００４】
なお、第６図において、後述の実施例と同様の機能の部品・部分には後述の実施例の部品・部分に用いた記号にａを添えた記号を付して、詳細な説明を省略した。
【０００５】
【発明が解決しようとする課題】
この発明は、個人の収集家などが望むとおり、組立てや分解、再組立て、棚位置の変更が自由にでき、かつ、組立てた状態ではぐらつくことなく立体的に展示でき、しっかりと形状を保てる組立て式のプラスチック製の展示台を提供することを目的とする。
【０００６】
【課題を解決するための手段】
この発明の組立て式のプラスチック製展示台は、柱部材に後端または前端から前後方向へ棚用スリットを上下に適宜間隔をあけて複数設け、相対する棚部材には前端または後端から前後方向へ柱用スリットを設け、さらに、この棚部材の側端には固定部材用スリットを側端から他方の側端部側へ向って設け、かつ、棚部材の上面には展示物を載置可能なステージ部を設け、固定部材には側端部から他方の側端部側へ向って棚サイド用スリットを設け、柱部材の棚用スリットと棚部材の柱用スリットとを噛み合わせて柱部材に対して棚部材を交差させて係合させて展示台の前後方向への変形を防ぎ、かつ、棚部材の側端の固定部材用スリットに固定部材の棚サイド用スリットを噛み合わせて交差状に嵌合させて展示台の左右方向への変形を防ぐことにより、前後左右に変形しないように成したことで上述の課題を解決した。
【０００７】
【実施例】
以下、図面に基づいて、この発明の組立て式のプラスチック製展示台を説明する。
【０００８】
第１図ないし第５図に示す実施例の展示台１において、柱部材２はスチロール樹脂で成形された幅４００ｍｍ、奥行８０ｍｍ、厚さ４ｍｍ程度の薄板状であって、柱部材２に後端から前後方向へほぼ水平に幅４ｍｍ程度、長さ４０ｍｍ程度の棚用スリット３が上下に４０ｍｍ程度の間隔をあけて９ヶ所設けある。
【０００９】
棚部材４もこの実施例ではスチロール樹脂で成形された幅４００ｍｍ、奥行８０ｍｍ、厚さ４ｍｍ程度の薄板状であって、両サイドから８０ｍｍ程度の位置に棚部材４の前端から前後方向へ幅４ｍｍ程度、長さ４０ｍｍ程度の柱用スリット５が設けられている。
【００１０】
さらに、この棚部材４の側端には幅４ｍｍ程度、長さ４０ｍｍ程度の固定部材用スリット６が棚部材４の側端から設けられていて、棚部材４の上面はミニチュア模型などを載置可能なステージ部７に成してある。
【００１１】
固定部材８はこの実施例では柱部材２と全く同じ材質・形状の薄板状であって、側端部から他方の側端部側へ向って幅４ｍｍ程度、長さ４０ｍｍ程度の棚サイド用スリット９を上下に４０ｍｍ程度の間隔をあけて複数設けてある。
【００１２】
なお、棚用スリット３、柱用スリット５、固定部材用スリット６、棚サイド用スリット９のスリットの幅は、それぞれのスリットに差し込まれる棚部材４、柱部材２、固定部材８、棚部材４の厚さより、０．１ｍｍ程度広くなっている。
【００１３】
次に、第１実施例の組立方法を第４図に基づいて説明する。
【００１４】
まず、棚部材４の両側の柱用スリット５、５に柱部材２、２の棚用スリット３を噛み合わせて差し込み、柱部材２に対して棚部材４を交差状に係合させてある。
【００１５】
次に、棚部材４の両側端の固定部材用スリット６に固定部材８の棚サイド用スリット９を噛み合わせて差し込み、棚部材４に対して固定部材８を交差状に係合させる。なお、第４図では上下に２つの棚部材４、４を用いた例を示したが、柱部材２および固定部材８には棚用スリット３および棚サイド用スリット９が複数設けてあるので、展示物に合わせて所望の間隔、段数で棚部材４を装着すれば良い。
【００１６】
この状態において、柱部材２の棚用スリット３が前後方向から棚部材４を挟持して棚部材４の前後方向への変形を防いでいて、固定部材８の棚サイド用嵌合部９が横方向から棚部材４を挟持して横方向への変形を防いでいるので、組立て後はこの展示台１は前後左右に変形しない。
【００１７】
なお、この発明において、材質は上記実施例に限定するものではなく、ポリプロピレンやＡＳ樹脂など、適宜な剛性を有するプラスチックであればよく、サイズや厚さも上記実施例に限定するものではなく、例えば幅９０ｃｍ、奥行１５ｃｍ、厚さ１ｃｍのように大きくしたり、逆に上記実施例よりも小さくするなど、任意のサイズでよい。
【００１８】
柱部材および固定部材も薄板状に限定するものではなく、角棒や円柱など任意の形状でよく、スリットも差し込まれる部材の厚さよりわずかに広ければよく、この実施例の形状・サイズに限定されるものではない。棚部材も上記のスリット機構により組立て可能であれば、薄板状でなくてもよい。
【００１９】
さらに、上記実施例では、柱部材に後端からスリットが棚用スリット３として形成してあり、棚部材には前端からスリットが柱用スリットとして設けられているが、この実施例に限定するものではなく、柱部材に前端側から棚用スリットを設け、棚部材には後端側から柱用スリットを設けてもよく、棚部材のステージ部に展示物を落ちないように載置できれば柱部材のスリットは水平ではなく傾斜していてもよい。
【００２０】
この展示台を分解するときは、柱部材、棚部材、固定部材を引張って各噛み合わせを外せばよい。
【００２１】
【発明の効果】
以上で説明したとおり、この発明の組立て式のプラスチック製展示台は、棚部材の柱用スリットに柱部材の棚用スリットを噛み合わせて差し込み、柱部材に対して棚部材を交差状に係合させて展示台の前後方向への変形を防いであり、固定部材の棚サイド用スリットに棚部材の固定部材用スリットを噛み合わせて差し込み交差状に係合させて展示台の横方向への変形を防いであるので、組立て後はこの展示台は前後左右に変形せず、展示物が展示台の変形による揺動で倒れる心配がない優れた特長を持つ。
【００２２】
しかも、各々のスリットを交差状に噛み合わせて差し込むだけで容易に組立てることができ、各部材を引抜けば容易に分解でき、さらに、柱部材に棚用スリットを上下に複数設けてあるので、複数の棚部材を任意の位置の棚用スリットに装着することにより、展示位置に合わせて適宜な間隔で棚部材を配して立体的に展示できる優れた特長を併せ持つ
【００２３】
【図面の簡単な説明】
【図１】この発明の実施例の展示台の斜視図である。
【図２】同じく実施例の柱部材の斜視図である。
【図３】同じく棚部材の斜視図である。
【図４】実施例の組立て方法を示す分解斜視図である。
【図５】実施例の使用状態を示す正面図である。
【図６】従来例の揺動状態を示す斜視図である。
【符号の説明】
１    展示台
２    柱部材
３    棚用スリット
４    棚部材
５    柱用スリット
６    固定部材用スリット
７    ステージ部
８    固定部材
９    棚サイド用スリット
１０    ミニチュア模型
２ａ    柱部材
３ａ    棚用スリット
４ａ    棚部材
５ａ    柱用スリット
７ａ    ステージ部
【図１】
2004248947.tif 000003
【図２】
2004248947.tif 000004
【図３】
2004248947.tif 000005
【図４】
2004248947.tif 000006
【図５】
2004248947.tif 000007
【図６】
2004248947.tif 000008